【手続補正書】
【提出日】平成16年5月26日(2004.5.26)
【手続補正１】
【補正対象書類名】明細書
【補正対象項目名】発明の詳細な説明
【補正方法】変更
【補正の内容】
【発明の詳細な説明】
【０００１】
【産業上の利用分野】
本発明は、使い捨て紙おむつ、たとえばいわゆるトレーニングパンツなどのパンツタイプあるいは結合テープを用いて装着を図る使い捨て紙おむつに関する。
【０００２】
【従来の技術】
使い捨て紙おむつ、特にトレーニングパンツは、乳児から幼児に移行する過程で、紙おむつ離れを促進するために使用されている。
【０００３】
この種のパンツタイプの紙おむつについては、あるいは結合テープを用いた紙おむつについては種々の提案がなされている。
【０００４】
いずれの紙おむつにおいても、腰周りからの体液の漏れを防止することは製品に必要な特性であり、軟便の横漏れを防止するために、近年では、側部バリヤーカフスを形成することが汎用技術とされている。
【０００５】
現在市販の多くの製品においては、側部バリヤーカフスは各両側部に一つであるが、特開昭６３−２１９０１号公報および実用新案登録第２５２３７２６号公報においては、各両サイド２つの側部バリヤーカフスを設けることが提案されている。
【０００６】
他方、前記の横漏れのほか、特に着用者が寝ているときに生じる前後漏れに対して、特開平３−１３６６５３号公報に記載のように、端部バリヤーカフスを備えたものが提案されている。
【０００７】
【発明が解決しようとする課題】
しかしながら、前後漏れに対して、特開平３−１３６６５３号公報に記載の端部バリヤーカフスを設けたとしても、その端部バリヤーカフスが反り返ったり、あるいは着用者の肌と離間したりするために、腰バンドのみで前後漏れを完全に防止しようとすることには限界があった。
【０００８】
また、単に各両サイド２つの側部バリヤーカフスを設けたとしても、１つのバリヤーカフスを形成する場合より横漏れ防止効果があるものの、必ずしも、その効果は顕著でないことが判った。
【０００９】
したがって、本発明の課題は、前後漏れ防止効果が顕著にあらわれる紙おむつを提供することにある。
【００１０】
【課題を解決するための手段】
上記課題を解決した本発明の請求項１記載の発明は、透液性トップシートと不透液性バックシートとの間に吸収体を有し、さらに製品の両側に側部バリヤーカフスを有する紙おむつにおいて、
製品の前後における少なくとも一方の端部において、腰周りを締め付ける腰バンド部を有し、かつ使用面側に端部バリヤーカフスを備え、
前記端部バリヤーカフスは、製品の中央側が前記透液性トップシートと固定されておらず、この非固定部分において製品の幅方向に沿う弾性伸縮部材が設けられ、使用時において、その弾性伸縮部材の収縮により、前記非固定部分が前記透液性トップシートと離間し、
前記バリヤーカフスの端縁側は製品の本体と一体化され、体液の前後方向漏れが図られている、
ことを特徴とする使い捨て紙おむつである。
【００１１】
請求項２記載の発明は、透液性トップシートと不透液性バックシートとの間に吸収体を有し、さらに製品の両側に側部バリヤーカフスを有する紙おむつにおいて、
製品の前後における少なくとも一方の端部において、使用面側に端部バリヤーカフスを備え、
前記端部バリヤーカフスは、バリヤーシートと、製品の端縁側位置に前記バリヤーシートと一体に設けられた腰用弾性伸縮部材と、製品の中央側位置に前記バリヤーシートと一体に設けられた起立用弾性伸縮部材とを備え、
前記バリヤーカフスの製品の中央側が前記透液性トップシートと固定されておらず、この非固定部分において前記起立用弾性伸縮部材があり、使用時において、その起立用弾性伸縮部材の収縮により、前記非固定部分が前記透液性トップシートと離間し、
前記バリヤーカフスの腰用弾性伸縮部材がある部分は製品の本体と一体化されて腰周りを締め付けるようになし、かつ体液の前後方向漏れが図られている、    ことを特徴とする使い捨て紙おむつである。
【００１２】
請求項３記載の発明は、透液性トップシートと不透液性バックシートとの間に吸収体を有し、さらに製品の両側に側部バリヤーカフスを有する紙おむつにおいて、
（１）少なくとも股間部相当域において長手方向に沿って；先端付近に弾性伸縮部材を有し、その収縮力により装着時において着用者側に起立する第２バリヤーカフスと、前記第２バリヤーカフスより製品幅方向中央側に先端付近に弾性伸縮部材を有し、その収縮力により装着時において着用者側に起立する第１バリヤーカフスとを有し、
（２）製品の前後における少なくとも一方の端部において、腰周りを締め付ける腰バンド部を有し、かつ使用面側に端部バリヤーカフスを備え、
前記端部バリヤーカフスは、製品の中央側が前記透液性トップシートと固定されておらず、この非固定部分において製品の幅方向に沿う弾性伸縮部材が設けられ、使用時において、その弾性伸縮部材の収縮により、前記非固定部分が前記透液性トップシートと離間し、
前記バリヤーカフスの端縁側は製品の本体と一体化され、体液の前後方向漏れが図られており、
さらに、前記端部バリヤーカフスの前記非固定部分の製品幅方向の両端部は、前記第１バリヤーカフスの下に位置することを特徴とする使い捨て紙おむつである。
【００１３】
【発明の実施の形態】
以下本発明を図面に示す実施の形態を参照しながらさらに詳説する。
（第１の実施の形態：請求項１，２および３に関係する）
図１〜図６は本発明の結合テープを用いて装着を図る使い捨て紙おむつの第１の実施の形態例を示したもので、全体構造としては、図１および図２に示すように、不織布などからなる透液性トップシート１とポリエチレンシートなどからなる最終製品の外面全体に及んで全体形状を規定する不透液性バックシート２とにより吸収体３を包んだ構造をなしている。
【００１４】
透液性トップシート１の側部は吸収体３が存在しない部分において不透液性バックシート２にホットメルト接着剤などにより固定されている。
【００１５】
さらに、透液性トップシート１に、換言すればこれを介して不透液性バックシート２に対して、製品幅方向中央側に第１バリヤーカフス１０が、外側に第２バリヤーカフス２０が固定されている。
【００１６】
これらの本発明の側部バリヤーカフスを構成する第１および第２バリヤーカフス１０，２０は、好ましくは不透液性または撥水性を示す第１および第２バリヤーシート１１，２１を要素とする。第１バリヤーシート１１の起立線は、吸収体３の側縁部にあり、第２バリヤーシート２１の起立線は、吸収体３の側縁より外方の（すなわち吸収体３が存在しない）易変形領域にあり、不透液性バックシート２に対してそれぞれの外方（以下内外方向は断りのない限り幅方向についていう）部分がホットメルト接着剤などにより固定されている。
【００１７】
さらに、第１および第２バリヤーシート１１，２１は、その内側部分が着用者側に起立するように、糸ゴムなどからなる側部バリヤーカフス用弾性伸縮部材１２，２２がその伸張下でホットメルト接着剤などにより固定され、着用状態において前記内側部分を自由部分（起立部分）として起立するようにしてある。第１および第２バリヤーシート１１，２１は、製品の前後端まで達しているが、バリヤーカフス用弾性伸縮部材１２，２２は少なくとも股間部を占めている（製品の前後端に達していてもよい）。この例から判るように、第１および第２バリヤーカフス１０，２０は、横漏れ防止のために、少なくとも股間部相当域において長手方向に沿っていれば足りる。
【００１８】
一方、図２に詳細が示されているように、不透液性バックシート２と第２バリヤーシート２１との間に、ガスケットカフス用弾性伸縮部材６が、図示例においては、着用者の肌に対する当たりを柔らかくするために、幅方向に間隔を置いて複数本、具体的には４本それらの一方または両方にホットメルト接着剤などにより、伸長下で固定されている。
【００１９】
第１バリヤーシート１１は、その外側部分が吸収体３の側縁から、ガスケットカフス用弾性伸縮部材６，６…群の最も製品幅方向中央側に位置するガスケットカフス用弾性伸縮部材６Ａ近傍にわたって延在し、透液性トップシート１および不透液性バックシート２にホットメルト接着剤などにより固定されている。第２バリヤーシート２１は、第１バリヤーシート１１の外側縁部を一部覆い、その覆い部分においてホットメルト接着剤などにより固定されており、その固定の境界線が第２バリヤーカフス２０の起立線とされ、その起立線の位置は、製品幅方向中央側に位置するガスケットカフス用弾性伸縮部材６Ａ近傍とされている。好適には、ガスケットカフス用弾性伸縮部材６Ａの左右に１０mm以内の位置とされる。
【００２０】
他方、製品の前後における少なくとも一方の端部において、腰周りを締め付ける腰バンド部が設けられ、かつ使用面側に端部バリヤーカフス５０を備えている。
【００２１】
図示例においては、予め結合テープ７０を設けた背側に、端部バリヤーカフス５０が設けられている。
【００２２】
前記端部バリヤーカフス５０は、バリヤーシート５１を有し、製品の中央側が前記透液性トップシート１と固定されておらず、この非固定部分において製品の幅方向に沿う起立用弾性伸縮部材５２が設けられ、使用時において、その起立用弾性伸縮部材５２の収縮により、前記非固定部分が前記透液性トップシート１と離間するように構成され、端部バリヤーカフス５０の製品の端縁側は製品の本体（図示例においては図３に示すように、相互に透液性トップシート１と不透液性バックシート２とホットメルト接着剤により一体化されたフラップ部分）に一体化され、体液の前後方向漏れが図られている。
【００２３】
ここで、図示例においては、特に図３および図４に示されているように、バリヤーシート５１は２枚の不透液性または撥水性を示すシートとされ、これら両シート５１，５１間に前記の起立用弾性伸縮部材５２とともに、締め付け用の腰用弾性伸縮部材５３が伸長状態で介在され、適宜の位置または全面においてホットメルト接着剤により一体化された腰用シート部材として予め用意され、これが製造過程において前記の製品の本体にホットメルト接着剤などにより固定される。したがって、腰用弾性伸縮部材５３はバリヤーシート５１，５１とともに腰バンド部を構成している。
【００２４】
前記腰用シート部材は、図６の斜線で示すように固定されている。すなわち、製造過程において端部バリヤーカフス５０を、透液性トップシート１に符号Ｚ１で示す領域においてホットメルト接着剤などにより固定し、この固定された端部バリヤーカフス５０の上から、第１バリヤーカフス１０を符号Ｚ２で示す領域においてホットメルト接着剤により固定され、さらにその上から第２バリヤーカフス２０の内側部分が符号Ｚ３で示す領域においてホットメルト接着剤により固定されている。
【００２５】
したがって、前記腰用シート部材は、図６の符号Ｚ１およびＺ２の除く部分（斜線が描かれていない部分）は前述の非固定部分とされている。しかし、前記腰用シート部材（または弾性伸縮部材５２，５３を有して一体となったバリヤーシート５１：端部バリヤーカフス５０）は、透液性トップシート１および第１バリヤーカフス１０に固定されているので、製品の着用時において、起立用弾性伸縮部材５２の収縮により図５に示すように透液性トップシート１と離間した状態で、同図矢印で示すように、体液が移動したとしても、前記固定部分で阻止され、端部バリヤーカフス５０が体液のバリヤーとして機能する。
【００２６】
これに対して、製品の腹側においては、図１に示されているように、腹部腰バンド６０が取付けられている。この腹部腰バンド６０は、前後方向の幅が狭い２枚の不透液性または撥水性を示すシート６１，６１間に締め付け用の腰用弾性伸縮部材６２，６２…が介在され、ホットメルト接着剤などにより一体化されたものであり、全面においてホットメルト接着剤により前記腰用シート部材と同様の態様で透液性トップシート１および第１バリヤーカフス１０に固定されて固定されている。したがって、腹部側においては、バリヤーカフスとしての機能は有していない。しかし、当然のことながら、この製品の腹側においても、背側と同様のバリヤーカフスを構成することができる（この態様は図示してない）。
【００２７】
かかる構成の紙おむつは、着用者に装着した後、結合テープ７０，７０を引き出して腹側に回し、固定するものである。結合テープ７０，７０を除いた前記構成の紙おむつをそのままパンツタイプとすることもでき、この場合には、図１の水平中央線を境にして前後に折り畳まれ、前後両側部が、相互にヒートシールなどにより固定されることにより製品化される。
【００２８】
いずれにしても、装着する場合、図２の下方に示すように、バリヤーカフス用弾性伸縮部材１２，２２の収縮力によって、それぞれ第１バリヤーカフス１０および第２バリヤーカフス２０の自由部分が起立する。また、ガスケットカフス用弾性伸縮部材６，６…（６Ａも含めて）の収縮力が作用するので、ガスケットカフス用弾性伸縮部材６Ａの左方部分が、吸収体３が存在せず、易変形領域を構成しているので、着用者の肌により密着するように着用者側に持ち上がるようになる。
【００２９】
その結果、仮に、第１バリヤーカフス１０および第２バリヤーカフス２０の自由部分の長さが同一であったとしても、図２の下方に示すように、ガスケットカフス用弾性伸縮部材６，６…（６Ａも含めて）の収縮力によって第２バリヤーカフス２０の自由部分はより大きく起立するようになり、起立縁の透液性トップシート１からの起立高さｈ2 は、第１バリヤーカフス１０の起立高さｈ1 より高くなる。
【００３０】
＜側部構造の作用効果＞
かかる側部構造を示す態様においては、次記のとおりの利点をもたらす。
（１）第１バリヤーカフス１０のほか、第２バリヤーカフス２０があるために、第１バリヤーカフス１０によって阻止できなった体液（軟便も含む）を、第２バリヤーカフス２０で阻止できる。
【００３１】
（２）ガスケットカフス用弾性伸縮部材６，６…（６Ａも含めて）の収縮力によって第２バリヤーカフス２０の自由部分はより大きく起立するので、たとえば図２のｈ2 ＞ｈ1 にあるときには、第１バリヤーカフス１０によって阻止できなった体液（軟便も含む）を第２バリヤーカフス２０で阻止する機能がより顕著にあらわれる。
【００３２】
（３）第２バリヤーカフス２０の自由部分はより鉛直（図２基準）方向に起立するので、第１バリヤーカフス１０の自由部分と第２バリヤーカフス２０の自由部分との間隔または空間が（展開状態より）大きくなり、第１バリヤーカフス１０によって阻止できなくこれを越えた体液をその間において保持できるようになり、第２バリヤーカフス２０で阻止する機能が顕著にあらわれる。
【００３３】
（４）前記（２）および（３）の結果、第２バリヤーカフス２０のバリヤーカフス用弾性伸縮部材２２の収縮力を弱めても差し支えなくなるので、着用者に対する過度の圧迫から解放できる。
【００３４】
（５）ガスケットカフス用弾性伸縮部材６，６…（６Ａも含めて）は、第２バリヤーカフス２０の起立効果を高めるほか、それ自体で、製品の脚周り部分を着用者にフィットさせ、また、仮に第２バリヤーカフス２０を体液が越えたとしても、そこで阻止できるとともに、第２バリヤーカフス２０が液分で湿潤したとき、それ以上の外方への湿潤を阻止し、防湿性を高める。
【００３５】
さらに、ガスケットカフス用弾性伸縮部材６，６…の収縮力作用領域が着用者の脚周り部分にフィットするので、第１バリヤーカフス１０の自由部分と第２バリヤーカフス２０の自由部分が、それ以上に外側に折り返されてはみ出ることがなく、かつ、常に内側に向いて起立し、本来のバリヤーカフスの機能を良好に発揮する。
【００３６】
（６）ガスケットカフス用弾性伸縮部材６，６…を付加することで、上記の機能が十全に発揮されるため、第１バリヤーカフス１０の自由部分より第２バリヤーカフス２０の自由部分の幅方向は小さくでき、かつ、コストの上昇は殆どなく、しかも、全体の機能とのバランスからして、コスト的には極めて優れたものとなる。具体的には、第１バリヤーカフス１０の自由部分を３０〜５０mmとしたとき、第１バリヤーカフス１０の起立線と第２バリヤーカフス２０の起立線との間の易変形領域が第２バリヤーカフス２０の自由部分と連動するので、第２バリヤーカフス２０の自由部分は第１バリヤーカフス１０の自由部分より２０〜４０mm小さくできる。
【００３７】
（７）第１バリヤーカフス１０の起立線と第２バリヤーカフス２０の起立線との間を離すことで、ガスケットカフス用弾性伸縮部材６，６…の収縮力によって、第１バリヤーカフス１０と第２バリヤーカフス２０との間にポケット（各バリヤーカフスの自由部分間の空間）ができ、第１バリヤーカフス１０で阻止できなかった体液（軟便も含む）を第２バリヤーカフス２０で阻止する機能が顕著にあらわれる。具体的には、第１バリヤーカフス１０の起立線と第２バリヤーカフス２０の起立線とは１０〜４０mm離間させることが望ましい。
【００３８】
＜端部バリヤーカフスの作用効果＞
本発明においては、前記の実施の態様により次記の作用効果を奏する。
（ア：請求項１〜３に関係する）
製品の前後における少なくとも一方の端部において、腰周りを締め付ける腰バンド部が設けられ、かつ、好適には少なくとも背側の使用面側に端部バリヤーカフス５０が設けられている。しかも、この端部バリヤーカフス５０には、その非固定部分において製品の幅方向に沿う起立用弾性伸縮部材５２が設けられているので、製品の使用時において、起立用弾性伸縮部材５２の収縮力によりその非固定部分が収縮し、透液性トップシート１と確実に離間する。すなわち、起立用弾性伸縮部材５２の収縮力によりその非固定部分が反り返ったり（従来例）することなく、着用者の肌に確実に接触し、体液のバリヤー機能が十分に発揮される。
【００３９】
（イ：請求項２に関係する）
端部バリヤーカフス５０を形成する場合において、腰バンドと別に単独で形成することも考えられるが、これらが別であると、一般的には、製造過程においてそれらの位置決めが煩雑となり、かつ製品の見栄えも悪い。しかるに、バリヤーシート５１に対して起立用弾性伸縮部材５２とともに、締め付け用の腰用弾性伸縮部材５３が伸長状態で介在し、適宜の位置または全面においてホットメルト接着剤により一体化された腰用シート部材として予め用意され、これが製造過程において前記の製品の本体にホットメルト接着剤などにより固定するようにすると、端部バリヤーカフス５０の位置決めが容易となり、製品の見栄えに優れたものとなる。
【００４０】
（第２の実施の形態：請求項１および２に関係する）
図７は、第２の実施の形態例を示したもので、前記腰用シート部材は、図７の斜線で示すように固定されている。すなわち、製造過程において第１バリヤーカフス１０の内側部分の前後方向両端部は符号Ｚ４で示す領域において透液性トップシート１にホットメルト接着剤などにより固定され、この固定された第１バリヤーカフス１０の上から端部バリヤーカフス５０が符号Ｚ５で示す領域においてホットメルト接着剤により固定され、その後、その上から第２バリヤーカフス２０の内側部分が符号Ｚ６で示す領域においてホットメルト接着剤により固定されて、前記腰用シート部材と一体化される。
【００４１】
したがって、前記腰用シート部材は、図６の符号Ｚ４およびＺ５を除く部分（斜線が描かれていない部分）は前述の非固定部分とされている。しかし、前記腰用シート部材（または弾性伸縮部材５２，５３を有して一体となったバリヤーシート５１：端部バリヤーカフス５０）は、透液性トップシート１および第１バリヤーカフス１０に固定されているので、製品の着用時において、起立用弾性伸縮部材５２の収縮により図５に示すように透液性トップシート１と離間した状態で、同図矢印で示すように、体液が移動したとしても、前記固定部分で阻止され、端部バリヤーカフス５０が体液のバリヤーとして機能する。
【００４２】
さらに、端部バリヤーカフス５０は第２バリヤーカフス２０の下にある。このために見栄えに優れるとともに、図７に示されているように、端部バリヤーカフス５０と第２バリヤーカフス２０との重なり部分が第１バリヤーカフス１０に対してフリー（非固定）であると、起立用弾性伸縮部材５２の収縮力の作用する長さ区間が長くなり、前後漏れ防止効果に優れる。また、第１バリヤーカフス１０を越えて第２バリヤーカフス２０との間に横漏れした体液が前後端部に移動した場合であっても、前記の重なり部分においてそれを阻止でき、前後漏れを防止できる。
【００４３】
この例においても、バリヤーシート５１は２枚の不透液性または撥水性を示すシートとされ、これら両シート５１，５１間に前記の起立用弾性伸縮部材５２とともに、締め付け用の腰用弾性伸縮部材５３が伸長状態で介在され、適宜の位置または全面においてホットメルト接着剤により一体化された腰用シート部材として予め用意され、これが製造過程において前記の製品の本体にホットメルト接着剤などにより固定される。したがって、腰用弾性伸縮部材５３はバリヤーシート５１，５１とともに腰バンド部を構成している。
【００４４】
（第３の実施の形態：請求項１，２および３に関係する）
図８および図９は第３の実施の形態例を示したものである。この例においては、主にパンツタイプの紙おむつとして好適に使用されるものであり、前述の実施の形態と主に異なるところは、本体バックシートを設けた点である。
【００４５】
すなわち、不織布などからなる透液性トップシート１とポリエチレンシートなどからなる不透液性バックシート２とにより吸収体３を包んだ構造の吸収体要素４が、本体バックシート３０に設けられている。
【００４６】
本体バックシート３０は、最終製品の外面全体に及んで全体形状を規定する連続シートであり、たとえば、前後方向および幅方向の少なくとも一方向において弾性伸縮性を示す材料からなり、その弾性伸縮度は１５０％以上である。実施例での本体バックシート３０は砂時計形状に成形されている。この本体バックシートは、ムレ防止などの点から、通気性および防水性（撥水性）の少なくとも一方、より好ましくは両者の特性を有するのが望まれる。その素材は適宜選択できるが、その例としては、ポリプロピレン主体の熱融着繊維とレーヨン繊維を混綿したレーヨンスパンレース不織布と、ウレタンやイソプレンゴム系の材料を主体とするメルトブロー不織布を熱融着、超音波接合、ホットメルト接着剤による接合などにより一体化し、前者の不織布を着用者の肌側に使用するものを挙げることができる。
【００４７】
前記本体バックシート３０に対して、第１および第２の実施の形態と同様に、製品幅方向中央側に第１バリヤーカフス１０が、外側に第２バリヤーカフス２０が固定されている。
【００４８】
これらの第１および第２バリヤーカフス１０，２０は好ましくは不透液性または撥水性を示す第１および第２バリヤーシート１１，２１を有する。第１バリヤーシート１１の起立線は吸収体３の側縁部にあり、第２バリヤーシート２１の起立線は、吸収体３の側縁より外方の易変形領域にあり、本体バックシート３０に対してそれぞれの外方部分がホットメルト接着剤などにより固定されている。
【００４９】
製品の前後において、前後端部バリヤーカフス５０，５０が設けられている。
【００５０】
図９に詳細が示されているように、本体バックシート３０と第２バリヤーシート２１との間に、ガスケットカフス用弾性伸縮部材６が、図示例においては、着用者の肌に対する当たりを柔らかくするために、幅方向に間隔を置いて複数本、具体的には４本それらの一方または両方にホットメルト接着剤などにより、伸長下で固定されている。
【００５１】
第１バリヤーシート１１は、その外側部分が吸収体３の側縁から、ガスケットカフス用弾性伸縮部材６，６…群の最も製品幅方向中央側に位置するガスケットカフス用弾性伸縮部材６Ａ近傍にわたって延在し、透液性トップシート１および本体バックシート３０にホットメルト接着剤などにより固定されている。第２バリヤーシート２１は、第１バリヤーシート１１の外側縁部を一部覆い、その覆い部分においてホットメルト接着剤などにより固定されており、その固定の境界線が第２バリヤーカフス２０の起立線とされ、その起立線の位置は、製品幅方向中央側に位置するガスケットカフス用弾性伸縮部材６Ａ近傍とされている。
【００５２】
かかる構成の紙おむつは、パンツタイプの場合において、図８の水平中央線を境にして前後に折り畳まれ、本体バックシート３０の前後両側部が、相互にヒートシールなどにより固定されることにより製品化される。
【００５３】
（変形例：これらの各例は各請求項記載の実施の態様の範囲内である）
図１０は、第１バリヤーカフス１０と第２バリヤーカフス２０とを構成するバリヤーシート４０を幅方向に連続する一枚のシートで形成した例である。第２バリヤーカフス２０においては、バリヤーシート４０が２重である。
【００５４】
図１１は、第１バリヤーカフス１０の第１バリヤーシート１１を延在し、その上に第２バリヤーカフス２０の第２バリヤーシート２１を固定したものである。
【００５５】
図１２は、第１バリヤーカフス１０と第２バリヤーカフス２０とを構成するバリヤーシート４１を幅方向に連続する一枚のシートで形成した例である。ただし、透液性トップシート１が製品の外方に延在し、これにバリヤーシート４１が固定されている。
【００５６】
一方、図２に戻ると、この例においては、第２バリヤーカフス２０の起立線がガスケットカフス用弾性伸縮部材６Ａに対応する位置にあるが、ガスケットカフス用弾性伸縮部材６，６，６，６Ａの収縮力作用領域の幅方向中間より製品幅方向中央側にある限り、基本的に前述の機能を発揮して第２バリヤーカフス２０が起立する。
【００５７】
他方、前記の各例においては、側部バリヤーカフスとして、第１バリヤーカフス１０と第２バリヤーカフス２０との２つを設けたものであるが、請求項３記載の発明を除いて、請求項１および請求項２記載の発明においては、一つの側部バリヤーカフスであってもよい。
【００５８】
前記各弾性伸縮部材の本数は適宜の本数とすることができるとともに、その部材としては糸ゴムのほか、帯状の伸縮性バンドなどでもよい。
【００５９】
端部バリヤーカフス５０のバリヤーシート５１としては、好ましくは伸縮性を有する材質からなるものであるが、伸縮性を有しなくともよい。
【００６０】
（第４の実施の形態）
図１３は第４の実施の形態を示したもので、端部バリヤーカフス５０における締め付け用の腰用弾性伸縮部材５３を無くし、その代わりに別のたとえばウレタン発泡体などからなる腰バンド８０を別体で設けたものである。腰バンド８０はたとえば透液性トップシート１と不透液性バックシート２との間に伸長下で設けることができる。この実施の形態は請求項１に記載の発明の範囲内である。
【００６１】
（第５の実施の形態）
図１４は請求項１、請求項２および請求項３に記載の発明に包含される実施の形態であり、側部バリヤーカフス１００を一つのものとした例である。すなわち、側部バリヤーカフス１００は、好ましくは不透液性または撥水性を示すバリヤーシート１０１を有し、これが不透液性バックシート２にホットメルト接着剤などにより固定されており、その内側部分が着用者側に起立するように、糸ゴムなどからなる側部バリヤーカフス用弾性伸縮部材１０２がその伸張下でホットメルト接着剤などにより固定されたものである。
【００６２】
（第６の実施の形態）
図１５は請求項１に記載の発明に包含される実施の形態であり、一つの側部バリヤーカフス１００を有する形態の下で、端部バリヤーカフス５０は締め付け用の腰用弾性伸縮部材５３を有しておらず、その代わりに別のたとえばウレタン発泡体などからなる腰バンド８０が別体で設けられたものである。図１５の斜線部分は、透液性トップシート１および不透液性バックシート２に対してのホットメルト接着剤による固定領域例を示している。
【００６３】
（その他）
上記の各実施の形態の組み合わせ変形例が多々あることは明らかであろう。また、請求項１および請求項２に記載の発明の下では、端部バリヤーカフス５０は第２バリヤーカフス２０の上、または側部バリヤーカフス１００の上に位置させることも可能である。各弾性伸縮部材の伸縮力は適宜選択でき、かつ相違していてもよい。
【００６４】
【発明の効果】
以上のとおり、本発明によれば、前後漏れ防止効果に優れたものとなる。
【手続補正２】
【補正対象書類名】明細書
【補正対象項目名】図面の簡単な説明
【補正方法】変更
【補正の内容】
【図面の簡単な説明】
【図１】
本発明の第１の実施の形態に従う紙おむつの展開状態の平面図である。
【図２】
図１の部分横断面図である。
【図３】
図１の３−３線矢視図である。
【図４】
図１の４−４線矢視図である。
【図５】
使用状態における図１の４−４線矢視図である。
【図６】
図１の部分拡大図である。
【図７】
本発明の第２の実施の形態に従う紙おむつの展開状態平面図の部分拡大図である。
【図８】
本発明の第３の実施の形態に従う紙おむつの展開状態の平面図である。
【図９】
図８の部分横断面図である。
【図１０】
変形例の側部バリヤーカフス構造例の横断面図である。
【図１１】
他の変形例の側部バリヤーカフス構造例の横断面図である。
【図１２】
別の変形例の側部バリヤーカフス構造例の横断面図である。
【図１３】
第４の実施の形態を示す紙おむつの展開状態平面図である。
【図１４】
第５の実施の形態を示す紙おむつの展開状態平面図である。
【図１５】
第６の実施の形態を示す紙おむつの展開状態平面図である。
【符号の説明】
１…透液性トップシート、２…不透液性バックシート、３…吸収体、４…吸収体要素、６，６Ａ…ガスケットカフス用弾性伸縮部材、１０…第１バリヤーカフス、１１…第１バリヤーシート、１２…第１バリヤーカフス用弾性伸縮部材、２０…第２バリヤーカフス、２１…第２バリヤーシート、２２…第２バリヤーカフス用弾性伸縮部材、３０…本体バックシート、５０…端部バリヤーカフス、５１…バリヤーシート、５２…起立用弾性伸縮部材、５３…締め付け用の腰用弾性伸縮部材、６０…腹部腰バンド、８０…腰バンド。
【手続補正３】
【補正対象書類名】図面
【補正対象項目名】図１５
【補正方法】変更
【補正の内容】
【図１５】
1998328234.tif 000001